(57)【要約】  支持台（３）およびブラケット本体（７）を備えており、患者固有でモジュール式に構成されている少なくとも１つのブラケット（１）の製造方法であって、ａ）半製品支持台（５）の半製品支持台ライブラリー（１９）を準備するステップと、ｂ）半製品ブラケット本体（９）の少なくとも１つのブラケット本体ライブラリー（２３）を準備するステップと、ｃ）患者の上顎および／または下顎の治療すべき歯の、特に石膏から成る患者固有のセットアップを製造するステップと、ｄ）患者の治療すべき歯の各々に対して、半製品支持台ライブラリー（１９）から半製品支持台（５）を選択するステップと、ｅ）それぞれの半製品支持台（５）に患者固有の接着面（３Ｋ）を形成し、これにより支持台（３）が形成されるステップと、ｆ）それぞれの支持台（３）のために、ブラケット本体ライブラリー（２３）からブラケット本体（７）を、支持台（３）とのそれぞれの結合のために選択するステップと、ｇ）それぞれ支持台（３）をこれに関連するブラケット本体（７）と結合し、これにより患者の治療すべき歯の各々に対してブラケット（１）が形成されるステップと、を含む方法。
2014512859.tif 000002
【特許請求の範囲】
【請求項１】
支持台（３）およびブラケット本体（７）を備えており、患者固有でモジュール式に構成されている少なくとも１つのブラケット（１）の製造方法であって、
ａ）半製品支持台（５）の半製品支持台ライブラリー（１９）を準備するステップと、
ｂ）半製品ブラケット本体（９）の少なくとも１つのブラケット本体ライブラリー（２３）を準備するステップと、
ｃ）患者の上顎および／または下顎の治療すべき歯の、特に石膏から成る患者固有のセットアップを製造するステップと、
ｄ）前記患者の治療すべき歯の各々に対して、前記半製品支持台ライブラリー（１９）から半製品支持台（５）を選択するステップと、
ｅ）それぞれの半製品支持台（５）に患者固有の接着面（３Ｋ）を形成し、これにより支持台（３）が形成されるステップと、
ｆ）それぞれの支持台（３）のために、前記ブラケット本体ライブラリー（２３）からブラケット本体（７）を、前記支持台（３）とのそれぞれの結合のために選択するステップと、
ｇ）それぞれの支持台（３）をこれに関連する前記ブラケット本体（７）と結合し、これにより前記患者の治療すべき歯の各々に対してブラケット（１）が形成されるステップと、
を含む方法。
【請求項２】
前記ブラケット本体ライブラリー（２３）の前記ブラケット本体（７）が、
ａ）離隔領域（９ｄ）を有する半製品ブラケット本体（９）を準備するステップと、
ｂ）前記ブラケット本体（７）の適切な高さを決定するため、前記離隔領域（９ｄ）を切断するための第１のパラメータを、前記離隔領域（９ｄ）に生じる切断面から溝（１１）までの間隔に対して決定するステップと、
ｃ）前記ブラケット本体（７）の適切なトルク値を決定するため、前記離隔領域（９ｄ）を切断するための第２のパラメータを、近心−遠心軸に対する切断角度に対して決定するステップと、
ｄ）前記ブラケット本体（７）の適切なローテーション値を決定するため、前記離隔領域（９ｄ）を切断するための第３のパラメータを、咬合−歯肉軸に対する切断角度に対して決定するステップと、
ｅ）決定された３つの前記パラメータに対応して前記離隔領域（９ｄ）を特に鋸を用いて切断し、これによりブラケット本体（７）が作製されるステップと、
により準備されることを特徴とする請求項１に記載の方法。
【請求項３】
前記半製品支持台ライブラリー（１９）の前記半製品支持台（５）が、
ａ）好ましくは平らな支持台材料領域を準備するステップと、
ｂ）前記支持台材料領域から少なくとも１つの半製品支持台（５）を打ち抜くため、少なくとも１つの抜き型を備えた型抜き機を準備するステップと、
ｃ）前記型抜き機を用いて前記支持台材料領域から少なくとも１つの半製品支持台（５）を打ち抜くステップと、
により準備されることを特徴とする請求項１または２に記載の方法。
【請求項４】
前記半製品ブラケット本体（９）が、ＭＩＭ法またはＳｅｌｅｃｔｉｖｅ−Ｌａｓｅｒ−Ｍｅｌｔｉｎｇ法によって準備されることを特徴とする請求項１から３のいずれか一項に記載の方法。
【請求項５】
前記支持台材料領域および／または前記半製品ブラケット本体（９）が、生体適合性の金属または生体適合性の合金、特にチタン、金、銀、またはステンレス鋼、またはコバルトクロム合金から準備されることを特徴とする請求項１から４のいずれか一項に記載の方法。
【請求項６】
それぞれの支持台（３）とその関連するブラケット本体（７）との結合が、接着または溶接によって行われることを特徴とする請求項１から５のいずれか一項に記載の方法。
【請求項７】
ステップ１ｅ）での、半製品支持台（５）での患者固有の接着面（３Ｋ）の形成が、前記接着面（３Ｋ）と前記患者の臨床の歯との形状結合を可能にするため、前記半製品支持台（５）と前記セットアップでの関連する歯との隙間（２７）を、特にプラスチックから成る充填材料で埋めることによって行われることを特徴とする請求項１から６のいずれか一項に記載の方法。
【請求項８】
少なくとも２つのパラメータ、特に前記第２のパラメータおよび前記第３のパラメータが、ステップ２ｂ）〜２ｄ）で、それぞれの様々なパラメータ値を有する前記ブラケット本体（７）が中に配置されている前記ブラケット本体ライブラリー（２３）を作るため、それぞれ所定の範囲において所定の間隔で変化をつけられることを特徴とする請求項１から７のいずれか一項に記載の方法。
【請求項９】
ステップ１ａ）では、前記半製品支持台ライブラリー（１９）内に、それぞれ、特定の歯に合わせて予備調整された半製品支持台（５）が準備され、例えば打ち抜き後の少なくとも１つのエンボスステップにおいて予備調整された、特に、上顎および／または下顎のそれぞれの歯に合わせて予備調整された半製品支持台（５）が準備されることを特徴とする請求項１から８のいずれか一項に記載の方法。
【請求項１０】
前記予備調整が、少なくとも１つの前記半製品支持台（５）の頬／舌側の輪郭（５Ｕ）の適合を含み、これにより前記半製品支持台（５）の前記輪郭（５Ｕ）が特定の歯の大きさまたは形状に適合されることを特徴とする請求項９に記載の方法。
【請求項１１】
前記予備調整が、半製品支持台（５）の選択された領域の折曲げ、特に半製品支持台（５）の近心領域および／または遠心領域の折曲げを含み、これにより前記半製品支持台（５）の近心および／または遠心の翼領域（５ｍ、５ｄ）が形成され、前記翼領域が、関連する歯を少なくとも部分的に包み込むことを特徴とする請求項９または１０に記載の方法。
【請求項１２】
前記予備調整が、半製品支持台（５）の咬合領域の折曲げを含み、前記咬合領域が、後に、関連する歯の咬合面に載ることを特徴とする請求項９から１１のいずれか一項に記載の方法。
【請求項１３】
前記予備調整が、少なくとも１つの半製品支持台（５）での舌／頬側の突出部の形成を含み、これにより例えば特定の歯の舌側の凹面／凸面の構造に適合されることを特徴とする請求項９から１２のいずれか一項に記載の方法。
【請求項１４】
ステップ１ｄ）で選択された前記半製品支持台（５）の、前記半製品支持台の形状および／または大きさの適合を含む、その関連する歯への手作業での適合を特徴とする請求項１から１３のいずれか一項に記載の方法。
【請求項１５】
少なくとも２つの異なる半製品ブラケット本体（９）が準備され、前記半製品ブラケット本体がそれぞれ少なくとも１種の特定の歯に割り当てられており、特に、８つの半製品ブラケット本体（９）、つまり各歯（１番〜８番）に対して１つの半製品ブラケット本体（９）が準備され、ステップ１ｂ）では、前記半製品ブラケット本体の前記ブラケット本体ライブラリー（２３）が準備されることを特徴とする請求項１から１４のいずれか一項に記載の方法。
【請求項１６】
前記ブラケット（１）が、前記患者の不正咬合模型において、それぞれそのブラケットが関連する治療すべき歯にポジショニングされ、その後、トランスファートレーが作製され、前記トランスファートレー内では、前記ブラケット（１）が、不正咬合に対応した前記ブラケットの相対的なポジションおよび位置に配置されていることを特徴とする請求項１から１５のいずれか一項に記載の方法。
【請求項１７】
請求項１から１６のいずれか一項に記載の方法に基づいて作製されたブラケット（１）。
【発明の詳細な説明】
【技術分野】
【０００１】
本発明は、少なくとも１つの患者固有のモジュール式に構成されているブラケットの作製方法およびこれに関連するブラケットに関する。
【背景技術】
【０００２】
固定式の挟持具を用いた患者の歯列矯正治療のため、患者の治療すべき歯にブラケットを接着し、アーチワイヤによって相互につなぎ、つまりこれらのブラケットが、それぞれアーチワイヤを案内し得る溝（スロット）を有するブラケットの配列を構成する。ブラケットは、歯およびブラケット本体と結合するための支持台（パッド）を備えており、ブラケット本体は特に溝内にアーチワイヤを収容する。
【０００３】
ブラケットとして、特定の標準値に基づいて規格化されており、したがって特定の変域幅に当てはまる患者に対して使用可能な標準ブラケットを使用することができる。しかし、例えば特許文献１〜４で開示されているように、ブラケットを患者に対して個別に作製させることもできる。
【０００４】
標準ブラケットの作製が困難でないのに対し、完全に個別化されたブラケットの作製は非常に手間がかかる。一形態では、例えば掛け鉤（フック）、翼部（ウィング）、溝（スロット）、およびの支持台（パッド）のような個々のブラケット構成要素をコンピュータ内で提供し、その後、これらのブラケット構成要素をバーチャルなブラケットへと組み立て、このとき、これを患者の歯のバーチャルなセットアップにおいて行う。こうして形成されたバーチャルなブラケットを、実際のブラケットを作製するために３Ｄプリンタに送る。
【０００５】
標準ブラケットの場合、ブラケットが特定の患者に対して個別化されないことが不利と感じる。完全に個別化されたブラケットの場合、手間のかかる作製が不利と感じる。
【先行技術文献】
【特許文献】
【０００６】
【特許文献１】欧州特許第１４７４０６４号明細書
【特許文献２】欧州特許出願第０７１１１５７２号明細書
【特許文献３】米国特許出願第２００２／００１０５６８号明細書
【特許文献４】欧州特許出願０８１０３２４０号明細書
【発明の概要】
【発明が解決しようとする課題】
【０００７】
したがって、本発明の課題は、患者固有のブラケットを簡単に作製することである。
【課題を解決するための手段】
【０００８】
この課題は、請求項の特徴を有する方法およびこの方法に基づいて作製されたブラケットによって解決される。
【０００９】
この方法は、特に、支持台およびブラケット本体を備えており、患者固有でモジュール式に構成されているブラケットの、下記のステップによる製造に関する。
１ａ）半製品支持台による半製品支持台ライブラリーを準備するステップと、
１ｂ）半製品ブラケット本体の少なくとも１つのブラケット本体ライブラリーを準備するステップと、
１ｃ）患者の上顎および／または下顎の治療すべき歯の、特に石膏から成る患者固有の歯列状態の模型（セットアップ）を製造するステップと、
１ｄ）患者の治療すべき歯の各々に対して、半製品支持台ライブラリーから半製品支持台を選択するステップと、
１ｅ）特に、半製品支持台を歯列状態の模型に対して間隔をあけて配置し、この間隔全体に広がっている隙間を充填材料で埋め、この充填材料を硬化させることにより、患者固有の表面を有する支持台を作製するためにそれぞれの半製品支持台に患者固有の接着面を形成するステップと、
１ｆ）それぞれ支持台をブラケット本体と結合させるため、それぞれの支持台のために、ブラケット本体ライブラリーからブラケット本体を選択するステップと、
１ｇ）患者の治療すべき歯の各々に対してブラケットを作製するため、それぞれの支持台をこれに関連するブラケット本体と結合するステップ。
【００１０】
ブラケット本体ライブラリーのブラケット本体が下記のステップにより準備されることが有利である。
２ａ）離隔領域を有する半製品ブラケット本体を準備するステップと、
２ｂ）ブラケット本体の適切な高さを決定するため、離隔領域を切断するための第１のパラメータを、離隔領域に生じる切断面から溝までの間隔に対して決定するステップと、
２ｃ）ブラケット本体の適切なトルク値を決定するため、離隔領域を切断するための第２のパラメータを、近心−遠心軸に対する切断角度に対して決定するステップと、
２ｄ）ブラケット本体の適切なローテーション値を決定するため、離隔領域を切断するための第３のパラメータを、咬合−歯肉軸に対する切断角度に対して決定するステップと、
２ｅ）決定された３つのパラメータに対応して離隔領域を特に鋸を用いて切断し、これによりブラケット本体が作製されるステップ。
【００１１】
半製品支持台ライブラリーの半製品支持台が下記のステップにより準備されることが有利である。
３ａ）好ましくは平らな支持台材料領域を準備するステップと、
３ｂ）支持台材料領域から少なくとも１つの半製品支持台を打ち抜くため、少なくとも１つの抜き型を備えた型抜き機を準備するステップと、
３ｃ）型抜き機を用いて支持台材料領域から少なくとも１つの半製品支持台を打ち抜くステップ。
【００１２】
半製品ブラケット本体は、ＭＩＭ法または選択的レーザ溶融法（Ｓｅｌｅｃｔｉｖｅ−Ｌａｓｅｒ−Ｍｅｌｔｉｎｇ法）によって準備されるのが好ましい。
【００１３】
支持台材料領域および／または半製品ブラケット本体は、生体適合性の金属または生体適合性の合金、特にチタン、金、銀、またはステンレス鋼、またはコバルトクロム合金から準備されるのが有利である。
【００１４】
それぞれの支持台とその関連するブラケット本体との結合は、接着または溶接によって行われるのが有利である。
【００１５】
ステップ１ｅ）での、半製品支持台での患者固有の接着面の形成は、接着面と患者の臨床の歯との形状結合を可能にするため、半製品支持台とセットアップでの関連する歯との隙間を、特にプラスチックから成る充填材料で埋めることによって行われるのが好ましい。
【００１６】
少なくとも２つのパラメータ、特に第２のパラメータおよび第３のパラメータは、ステップ２ｂ）〜２ｄ）で、それぞれの様々なパラメータ値を有するブラケット本体が中に配置されているブラケット本体ライブラリーを作るため、それぞれ所定の範囲において所定の間隔で変化をつけられるのが有利である。
【００１７】
ステップ１ａ）では、半製品支持台ライブラリー内に、それぞれ、特定の歯に合わせて予備調整された半製品支持台が準備されるのが好ましく、例えば打ち抜き後の少なくとも１つのエンボスステップにおいて予備調整された、特に、上顎および／または下顎のそれぞれの歯に合わせて予備調整された半製品支持台が準備される。
【００１８】
予備調整は、少なくとも１つの半製品支持台の頬／舌側の輪郭の適合を含むことが好ましく、これにより半製品支持台のこの輪郭が特定の歯の大きさまたは形状に適合される。
【００１９】
予備調整は、半製品支持台の選択された領域の折曲げ、特に半製品支持台の近心領域および／または遠心領域の折曲げを含むことが好ましく、これにより半製品支持台の近心および／または遠心の翼領域が形成され、この翼領域は、関連する歯を少なくとも部分的に包み込む。
【００２０】
予備調整は、半製品支持台の咬合領域の折曲げを含むことが有利であり、この咬合領域は、後に、関連する歯の咬合面に載る。
【００２１】
予備調整は、少なくとも１つの半製品支持台での舌／頬側の突出部の形成を含むことが好ましく、これにより例えば特定の歯の舌側の凹面／凸面の構造に適合される。
【００２２】
ステップ１ｄ）で選択された半製品支持台は、その関連する歯に手作業で適合されることが有利であり、この適合は、半製品支持台の形状および／または大きさの適合を含むことができる。
【００２３】
有利には、少なくとも２つの異なる半製品ブラケット本体が準備され、この半製品ブラケット本体はそれぞれ少なくとも１種の特定の歯に割り当てられており、特に、８つの半製品ブラケット本体、つまり各歯（１番〜８番）に対して１つの半製品ブラケット本体が準備され、ステップ１ｂ）では、この半製品ブラケット本体のブラケット本体ライブラリーが準備される。
【００２４】
ブラケットは、患者の不正咬合模型において、それぞれそのブラケットが関連する治療すべき歯にポジショニングされ、その後、トランスファートレーが作製されることが好ましい。
【００２５】
さらにこの方法は、ブラケット本体および支持台から成る組合せを、予め作製されたブラケット本体または支持台のそれぞれのライブラリーから選択することを特色とし、特に、離隔領域が、３つのパラメータに基づいて配置されている切断面を有するブラケット本体を、歯列状態の模型との接触により成形される硬化した充填材料により患者固有の面が形成されている支持台と結合することを含んでいる。ブラケット本体は、好ましくは離隔領域によって離隔された切断面を有しており、この切断面は、切断により、特に鋸での切断により形成されている。離隔領域は、切断面をブラケット本体の溝から離隔しており、第１のパラメータとしてブラケット本体の適切な高さを決定する長さを有している。切断面は、第２のパラメータとして、近心−遠心軸に対してある切断角度で配置されており、ブラケット本体の適切なトルク値を決定している。さらに切断面は、第３のパラメータとして、咬合−歯肉軸に対してある切断角度で配置されており、この切断角度がブラケット本体の適切なローテーション値を決定している。ゆえに切断面は３つのパラメータによって決定されている。ブラケット本体の離隔領域の切断面と、特に平らな面を有し、好ましくは一定の材料厚さを有する支持台とを結合させることにより、支持台に対するブラケット本体の配置はこの３つのパラメータによって決定され、したがってブラケット本体での溝の配置も、支持台上での３つのパラメータに適合させて決定される。
【００２６】
本発明のさらなる特徴、詳細、および利点は、請求項および以下の好ましい実施形態の説明から、ならびに図面に基づいて明らかである。
【図面の簡単な説明】
【００２７】
【図１】歯２１用の半製品支持台の複数の面を示す図である。
【図２】歯２３用の半製品支持台の複数の面を示す図である。
【図３】歯２７用の半製品支持台の複数の面を示す図である。
【図４】歯３５用の半製品支持台の複数の面を示す図である。
【図５】歯３７用の半製品支持台の複数の面を示す図である。
【図６】上顎の歯１（ＯＫ  １番）用の半製品ブラケット本体の複数の面を示す図である。
【図６ａ】図６の半製品ブラケット本体から作製されたブラケット本体の複数の面を示す図である。
【図７】（上顎または下顎の歯６）ＯＫまたはＵＫ  ６番用の半製品ブラケット本体の複数の面を示す図である。
【図８】ＯＫまたはＵＫ  ７番用の半製品ブラケット本体の複数の面を示す図である。
【図８ａ】図８の半製品ブラケット本体から作製されたブラケット本体の複数の面を示す図である。
【図９】目標セットアップの透視図であり、半製品支持台が歯に配置されており、両者の隙間がプラスチックで埋められている。
【図１０】完成したブラケットが案内されている歯の透視図である。
【図１１】半製品支持台ライブラリーの上面図である。
【図１２】ブラケット本体ライブラリーの上面図である。
【発明を実施するための形態】
【００２８】
最初に、型抜き機を用いて支持台材料テープから半製品支持台を打ち抜くため、ステンレス鋼から成る支持台材料テープ（１００ｍ長、５ｃｍ幅、および０．４ｍｍ厚）と、抜き型を備えた型抜き機とを準備する。型抜き機は、支持台材料テープのうち装填された支持台材料領域から複数の同じ半製品支持台を打ち抜き、この半製品支持台の頬／舌側の輪郭は、作製されたその半製品支持台が割り当てられる歯に適合されている。支持台材料テープの代わりに、代替策として支持台材料シートを使用してもよい。
【００２９】
図１には、こうして作製された歯２１用の半製品支持台５の６つの側面図ならびに１つの透視図が示されている。この半製品支持台５は平らであり、面全体にわたって材料厚さが一定である。頬／舌側の輪郭５Ｕはほぼ三角の形状を有しており、これによりこの半製品支持台５は歯２１によく適合されている。打ち抜く際に生じた頬／舌側の輪郭５Ｕのエッジは、その後のエンボスステップにおいて取り除かれ、これによりこの輪郭５Ｕの側面が丸められる。
【００３０】
これに類似して、図２は同じ方法に基づいて作製された歯２３用の半製品支持台５を示しており、この半製品支持台５は、図１の半製品支持台とは、頬／舌側の輪郭５Ｕの形状が違うことだけが相違している。
【００３１】
図３は、歯２７用の半製品支持台５の６つの側面図ならびに１つの透視図を示している。この半製品支持台５は、図１および図２に関連して説明したのと同じ方法に基づいて作製されたが、ただしさらに続く２つの曲げステップが実施された。第１の曲げステップでは、適切な曲げ工具を備えたプレス機内で、近心の翼領域５ｍおよび遠心の翼領域５ｄを、折曲げによって形成した。第２の曲げステップでは、適切な曲げ工具を備えたプレス機内で、半製品支持台５の咬合領域５ｏを形成した。この咬合領域５ｏは、患者に装着した状態では歯２７の咬合面に載っている。
【００３２】
図４は、歯３５用の半製品支持台５の６つの側面図ならびに１つの透視図を示している。この半製品支持台５は、図１および図２に関連して説明したのと同じ方法に基づいて作製されたが、ただし続く１つの曲げステップにおいて、近心の翼領域５ｍおよび遠心の翼領域５ｄが形成された。
【００３３】
図５は、歯３７用の半製品支持台５の６つの側面図ならびに１つの透視図を示している。この半製品支持台５は、図１および図２に関連して説明したのと同じ方法に基づいて作製されたが、ただし上で図３に関連して説明したようなさらに続く２つの曲げステップが実施された。すなわち第１の曲げステップでは、適切な曲げ工具を備えたプレス機内で、近心の翼領域５ｍおよび遠心の翼領域５ｄを、折曲げによって形成した。第２の曲げステップでは、適切な曲げ工具を備えたプレス機内で、半製品支持台５の咬合領域５ｏを形成した。この咬合領域５ｏは、患者に装着した状態では歯３７の咬合面に載っている。
【００３４】
こうして作製された半製品支持台５は、図１１に示した半製品支持台ライブラリー１９に分類して入れられる。半製品支持台ライブラリー１９は、１６×８個のマトリクス状に配置された半製品支持台容器２１を含んでいる。ＯＫＧＺ列およびＵＫＧＺ列には、それぞれ１６個の半製品支持台容器２１があり、つまり上顎および下顎のそれぞれの歯に対して半製品支持台容器２１が設けられている。半製品支持台容器２１は、歯科学におけるＦＤＩ歯式に倣って、すなわち左で８番から始まり、１番を経て右へと、もう一方の顔半分の８番まで配置されている。これに対応して半製品支持台容器は、１８から、１１および２１を経て２８まで、または４８から、４１および３１を経て３８までをもって表されている。この半製品支持台容器２１の各々に、それぞれの歯に属する、つまりそれぞれの歯に適合する半製品支持台５が入っている。
【００３５】
ＯＫＧＺ列およびＵＫＧＺ列には、大きな歯を備えた上顎または下顎のための半製品支持台５が入っている。ＯＫＫＺ列およびＵＫＫＺ列には、小さな歯を備えた上顎または下顎のための半製品支持台５が入っている。ＯＫＯＫＺ列およびＵＫＯＫＺ列には、小さな歯を備えた上顎または下顎のための咬合領域５ｏを備えた半製品支持台５が入っており、歯１７、１８、２８、２７ならびに３４、３５、３７、３８、４４、４５、４７、および４８に対してだけ存在している。ＯＫＦＧＺ列およびＵＫＦＧＺ列には、大きな歯を備えた上顎または下顎のための翼領域５ｍ、５ｄを備えた半製品支持台５が入っており、歯１４、１５、１６、１７、１８、２４、２５、２６、２７、２８ならびに３４、３５、３６、３７、３８、４４、４５、４６、４７、および４８に対してだけ存在している。
【００３６】
そして患者固有の支持台を作製するため、さらに以下のように行う。すなわち患者の上顎および下顎からそれぞれ押し型を取り、この押し型を使って石膏模型を作製する。この石膏模型を、顎の互いに対する相対位置を反映している咬合器内にセットまたは配置する（不正咬合模型）。この不正咬合模型から、治療が終わったときの予定状況を具現化した目標セットアップを作製する。この目標セットアップを作製するには、患者の不正咬合模型から歯を１本１本切り取り、その後、達成すべき目標状況に組み立て直し、これにより目標セットアップを生じさせる。
【００３７】
その後、治療すべき歯のために、半製品支持台ライブラリー１９からそれぞれ適切な半製品支持台５を取り出す。取り出した半製品支持台５を、石膏模型（目標セットアップ）の関連する歯に対し、場合によってはまだ手作業でさらに適合させ、これに関しては形状および／または大きさを適合させることができるが、さらに曲げも手作業で実施することができる。続いて半製品支持台５を、それぞれ目標セットアップでの関連する歯の表面に保持し、図９に示したように歯と半製品支持台５の隙間２７をプラスチックから成る充填材料で埋める。こうして半製品支持台５に患者固有の接着面３Ｋができ、これにより支持台３になる。この患者固有の接着面３Ｋは、後に患者の歯に形状結合によって取り付けることができ、接着剤を用いて固定的に歯と結合させることができる。
【００３８】
こうして作製された患者固有の支持台３は、その後さらに、ブラケット本体ライブラリー２３から取り出した患者固有のブラケット本体７とそれぞれ結合させ、このブラケット本体ライブラリーは、後で説明するように半製品支持台ライブラリーに倣って構成されている。
【００３９】
図６は、ＯＫ  １番用の半製品ブラケット本体９の様々な面を示しており、この半製品ブラケット本体は、固定領域９ｆ、離隔領域９ｄ、溝１１、掛け鉤１３、および翼部１５を有している。図６ａは、３つのパラメータに対応して配置されている切断面１０を示している。
【００４０】
図７は、上顎（ＯＫ）または下顎（ＵＫ）の歯６（６番）用の半製品ブラケット本体９の様々な面を示しており、この半製品ブラケット本体は、固定領域９ｆ、離隔領域９ｄ、溝１１、２つの掛け鉤１３、および２つの翼部１５を有している。
【００４１】
図８は、上顎（ＯＫ）または下顎（ＵＫ）の歯（７番）用の小管１７の形の半製品ブラケット本体９の様々な面を示しており、この半製品ブラケット本体も離隔領域９ｄを有している。
【００４２】
半製品ブラケット本体９は、ＭＩＭ法で（代替策としてはＳｅｌｅｃｔｉｖｅ−Ｌａｓｅｒ−Ｍｅｌｔｉｎｇ法で）作製され、コバルトクロム合金から（代替策としては例えばステンレス鋼から）成っている。掛け鉤１３および翼部１５はそれぞれ、その溝１１に面した端部で材料が次第に細くなっており、これにより掛け鉤１３および翼部１５はそれぞれ溝１１の周りの適切な角度位置に、まだ、例えば手作業で曲げることができる。
【００４３】
治療に最適な溝１１をもたらすため、図６および図７の半製品ブラケット本体９を、その固定領域９ｆで支持体に固定する。支持体には約１００個を固定することができる。半製品ブラケット本体９を備えた支持体を適切な液体槽に浸し、この液体槽内ではそれぞれの半製品ブラケット本体９の溝１１がワイヤ放電加工法によって再切断される。これは、複数のサイクルにわたって行われてもよい（仕上げ加工）。こうすることで、規格の誤差許容範囲が小さい非常に精密な溝１１が生じる。
【００４４】
図８の半製品ブラケット本体は、治療のために非常に精密に作製されなければならない溝がないので、固定領域は有していない。
【００４５】
このステップの後、図６〜図８の半製品ブラケット本体９は、その溝側の端部で、（この端部に対して）対応するネガ形状内に固定され、これに関してはその代わりに反対側の端部での固定が可能である。それぞれの半製品ブラケット本体９の離隔領域９ｄを、鋸を用いて様々な角度で切断する。切断する際に３つのパラメータを調整することができる。
【００４６】
第１のパラメータは、生じる切断面から溝１１までの間隔である。この間隔をより小さく選択できればそれだけ、患者がブラケットをより知覚しにくくなる。
【００４７】
第２のパラメータは、溝１１の長手軸（近心−遠心軸）の周りの角度である。この切断角度の平均的な標準値からの相違に応じて、より多くまたはより少なくトルクがもたらされる（用語については図６を参照）。
【００４８】
第３のパラメータは、半製品ブラケット本体９の長手軸に対する垂線（咬合−歯肉軸）の周りの角度である。この切断角度の平均的な標準値からの相違に応じて、より多くまたはより少なくローテーションがもたらされる（用語については図６を参照）。
【００４９】
こうして半製品ブラケット本体９に対し、この３つのパラメータが決定され、これに対応して離隔領域９ｄを鋸で切断し、これによりブラケット本体７ができる。図６ａは、離隔領域をトルクに関しては５５°、ローテーションに関しては１５°で切断した図６の半製品ブラケット本体９を示しており、これにより図６ａのブラケット本体７ができる。図８ａは、離隔領域をトルクに関しては２０°、ローテーションに関しては１５°で切断した図８の半製品ブラケット本体９を示している。図８ａは、この３つのパラメータに対応して配置されている切断面１０を示している。
【００５０】
こうして得られたブラケット本体７は、ブラケット本体ライブラリー２３のブラケット本体容器２５に分類して入れ（図１２）、これに関しては図６〜図８の各半製品ブラケット本体９に対してそれぞれブラケット本体ライブラリーが提供される。言い換えると、図６の半製品ブラケット本体９にはそれ専用のブラケット本体ライブラリーがあり、図７および図８の半製品ブラケット本体も同様である。
【００５１】
図１２は、半製品支持台ライブラリーに倣って構成されており、ブラケット本体７で満たされているブラケット本体ライブラリー２３を示している。ブラケット本体７は、ローテーションに関しては−５°〜＋５°において１°間隔で区分されており、トルクに関しては４０°〜７０°において５°間隔で区分されている。もちろんここで別の範囲および別の間隔を使用することは可能であり、特に半製品ブラケット本体９に応じて別の範囲および別の間隔を使用することもでき、つまり図６の半製品ブラケット本体９のために、図７の半製品ブラケット本体のためとは違う範囲および違う間隔を使用することができる。ブラケット本体７は支持台３と一緒に、完成したブラケット１を形成する。
【００５２】
患者固有のブラケットを作製するための方法は以下のように続いていく。セットアップでの治療すべき歯には既に患者固有の支持台３が固定されている。そこでそれぞれの支持台３のために、ブラケット本体ライブラリーから適切なブラケット本体７を取り出し、そのそれぞれの支持台３に固定的に接着させる。有利には、ブラケット本体７は「機械の指」によりそれぞれの支持台３へと案内され、次いでそれに固定的に接着される。
【００５３】
その後、こうして完成したブラケットセットアップにより、ＯＫ模型および／またはＵＫ模型の、対応する頭側または尾側の方向からの２次元スキャン（上面図）がもたらされ、このデータに基づいて、対応するアーチワイヤをワイヤ曲げ機によって曲げることができる。
【００５４】
続いて石膏模型を水槽に浸し、これにより支持台がそれに固定的に接着されたブラケット本体と共に剥がれ、これらはその後、レーザにより互いに固定的に溶接される。
【００５５】
こうして作製されたブラケット１を、シリコーンから成るトランスファートレーを作製するため、患者の石膏模型（不正咬合模型）に取り付け（図１０を参照）、そこで固定させる。
【００５６】
歯２１、２３、２７、３５、および３７に関しては、図１〜図５でそれぞれ半製品支持台５を紹介した。包括的には、上顎および／または下顎の各歯に対し、それぞれ特有にその歯に適合させた半製品支持台５を開発することができる。その代わりに、複数の歯に対して１種の半製品支持台５を使用すること、例えば歯３２、３１、４１、および４２に対して１種の半製品支持台５を使用することができる。
【００５７】
図１１に基づく半製品支持台ライブラリー１９は、各列に１６個の半製品支持台容器２１を含んでおり、半製品支持台容器内にはそれぞれ１種の歯に対して半製品支持台５が配置されている。つまり一方の側の歯８（８番）からもう一方の側の８番まで、それぞれに半製品支持台５が設けられている。代替策としての一実施形態では、半製品支持台ライブラリー１９は各列に１４個の半製品支持台容器２１を含んでおり、半製品支持台容器内にはそれぞれ１種の歯（７番〜７番）に対して半製品支持台５が配置されている。つまり一方の側の７番からもう一方の側の７番まで、それぞれに半製品支持台５が設けられている。
【００５８】
本発明の枠内では、マトリクス状の配置とは横列と縦列での配置のことである。
【００５９】
ブラケット本体ライブラリー２３は、ブラケット本体容器２５を、その中に配置されたブラケット本体７と共に含んでいる。これに関し、ブラケット本体容器２５またはその中に配置されたブラケット本体７は、３つのパラメータ（切断面と溝の間隔、近心−遠心軸に対する角度、咬合−歯肉軸に対する角度）のパラメータ値に基づいて分類されている。半製品ブラケット本体９のブラケット本体ライブラリー２３では、包括的には３つすべてのパラメータを変化させることができる。つまり例えば、図１２のブラケット本体ライブラリー２３を、トルクおよびローテーションに関しては同じ値で新たに作製することができ、ただしこの場合、第３のパラメータ（切断面と溝の間隔）を変化させており、例えば１ｍｍ大きくまたは小さくしている。こうすることで図１２のブラケット本体ライブラリー２３が２つになり、すなわちより大きな間隔のものが１つと、より小さな間隔のものが１つになり、これにより新たなブラケット本体ライブラリー２３が形成されている。したがって図１２のマトリクス状の配置は、さらなるパラメータが変化する第３の次元に広げられている。この包括的な形式は、実際には必要ないのが普通である。なぜなら切断面と溝の間隔は、できあがったブラケット１が患者をできるだけ煩わさないよう常に可能な限り小さくあるべきなので、図１２の、切断面と溝の間隔が可能な限り小さいブラケット本体ライブラリー２３で十分であり得る。
【００６０】
要するに患者固有の支持台および患者固有のブラケット本体を備えた患者固有のブラケットを作製するための有利な方法は、下記のステップに区分することができる。
【００６１】
１．半製品支持台ライブラリーを作るステップ
−  好ましくは平らな支持台材料領域を準備し、
−  支持台材料領域から歯固有の半製品支持台を打ち抜くため、少なくとも１つの抜き型を備えた型抜き機を準備し、
−  型抜き機を用いて支持台材料領域から歯固有の半製品支持台を打ち抜き、
−  任意選択で、半製品支持台を予備調整する。
【００６２】
２．ブラケット本体ライブラリーを作るステップ
−  離隔領域を有する半製品ブラケット本体を準備し、
−  場合によっては、半製品ブラケット本体に非常に精密な溝を作製し（例えばワイヤ放電加工により）、
−  ３つのパラメータに対して選択されたパラメータ値で、離隔領域を分断する。
【００６３】
３．患者の治療すべき上顎および／または下顎の、特に石膏から成る患者固有の目標セットアップを作製するステップ。
【００６４】
４．患者の治療すべき歯のために、半製品支持台ライブラリーから半製品支持台を選択するステップ。
【００６５】
５．支持台に対し、患者の臨床の歯との形状結合を可能にする歯固有の接着面を作製するため、半製品支持台と目標セットアップでの関連する歯との隙間を、特にプラスチックから成る充填材料で埋めるステップ。
【００６６】
６．それぞれの支持台のために、ブラケット本体ライブラリーからブラケット本体を選択するステップ。
【００６７】
７．患者固有のブラケットを形成するため、支持台にブラケット本体を固定するステップ。
【００６８】
ただしプロセスステップをこの順番で実施する必要はない。よって例えば、代替策として最初に半製品支持台５をその関連するブラケット本体７と結合し、こうしてから次いで接着面３Ｋを形成することができる。
【符号の説明】
【００６９】
１  ブラケット
３  支持台
３Ｋ  支持台の接着面
５  半製品支持台
５ｍ  半製品支持台の近心の（翼）領域
５ｄ  半製品支持台の遠心の（翼）領域
５ｏ  半製品支持台の咬合領域
５Ｕ  頬／舌側の輪郭
７  ブラケット本体
９  半製品ブラケット本体
９ｄ  半製品ブラケット本体の離隔領域
９ｆ  半製品ブラケット本体の固定領域
１０  切断面
１１  溝
１３  掛け鉤
１５  翼部
１７  小管
１９  半製品支持台ライブラリー
２１  半製品支持台容器
２３  ブラケット本体ライブラリー
２５  ブラケット本体容器
２７  隙間
【図６ａ】
2014512859.tif 000003
【図８ａ】
2014512859.tif 000004
【図９】
2014512859.tif 000005
【図１０】
2014512859.tif 000006
【図１１】
2014512859.tif 000007
【図１】
2014512859.tif 000008
【図２】
2014512859.tif 000009
【図３】
2014512859.tif 000010
【図４】
2014512859.tif 000011
【図５】
2014512859.tif 000012
【図６】
2014512859.tif 000013
【図７】
2014512859.tif 000014
【図８】
2014512859.tif 000015
【図１２】
2014512859.tif 000016
【国際調査報告】
2014512859.tif 000017
2014512859.tif 000018
2014512859.tif 000019
2014512859.tif 000020